(57)【要約】【課題】  折り畳み式ダブルフック装置の提供。【解決手段】  連結アームと、それぞれが枢設体及び枢軸で該連結アームの両端に枢設された一対のフックとを具え、そのうち一つのフックの外径がもう一つのフックの内径より小さい。この一対のフックは枢軸により外向きに展開されて二つの反対側に位置するフックとされて、それぞれ固定部品への吊掛けと、フックに吊り掛ける必要がある物品の吊掛に供され、且つ各フックがその枢設体により水平に回転自在とされてフック開口の方向を調整できる。且つこの一対のフックはその枢軸により内向きに折り畳んで、相互に隣接するように並列に配列して小体積として携帯に便利とすることができる。【選択図】        図１
2006198222.tif 000002
【特許請求の範囲】
【請求項１】
回転式に展開して二方向のフック形態とされて物品の吊掛けに供されるか、回転式に折り畳んで小体積として携帯に便利とできる折り畳み式ダブルフック装置であり、
相反する両側に第１側端と第２側端が形成された連結アームと、
上部が第１枢軸により連結アームの第１側端に枢設された第１枢設体と、
第１枢設構造により第１枢設体の底部に枢設された第１フックと、
上部が第２枢軸で該連結アームの第２側端に枢設された第２枢設体と、
第２枢設構造により該第２枢設体の底部に枢設された第２フックと、
を具えたことを特徴とする、折り畳み式ダブルフック装置。
【請求項２】
請求項１記載の折り畳み式ダブルフック装置において、連結アームの第１側端及び第２側端が切削されて第１割り溝と第２割り溝が設けられ、且つ第１側端の前端面及び後端面にそれぞれ第１枢軸が設けられ、該第２側端の前端面及び後端面にそれぞれ第２枢軸が設けられたことを特徴とする、折り畳み式ダブルフック装置。
【請求項３】
請求項１記載の折り畳み式ダブルフック装置において、第１枢設体の上部が切削されて縦溝が設けられ、連結アームの第１側端が該縦溝内に置かれ、並びに第１枢軸で枢結されたことを特徴とする、折り畳み式ダブルフック装置。
【請求項４】
請求項１記載の折り畳み式ダブルフック装置において、第１フックがフック体を具え、該フック体の一端に基軸部が形成され、該基軸部が第１枢設体の底部と第１枢設構造により枢結され、該フック体の別端に脱出防止の湾曲凸部が設けられたことを特徴とする、折り畳み式ダブルフック装置。
【請求項５】
請求項４記載の折り畳み式ダブルフック装置において、第１枢設構造が、第１枢設体の底部に設けられた穿孔と該穿孔に通された後に第１フックの基軸部に結合されるピンを具え、第１フックが該ピンを軸として、第１枢設体に対して水平回転自在とされたことを特徴とする、折り畳み式ダブルフック装置。
【請求項６】
請求項１記載の折り畳み式ダブルフック装置において、第２枢設体の上部に縦溝が形成され、連結アームの第２側端がこの縦溝内に置かれ、並びに第２枢軸で枢結されたことを特徴とする、折り畳み式ダブルフック装置。
【請求項７】
請求項１記載の折り畳み式ダブルフック装置において、第２フックがフック体を具え、該フック体の一端に基軸部が形成され、該基軸部が第２枢設体の底部と第２枢設構造により枢結され、このフック体の別端に脱出防止の湾曲凸部が設けられたことを特徴とする、折り畳み式ダブルフック装置。
【請求項８】
請求項７記載の折り畳み式ダブルフック装置において、第２枢設構造が、第２枢設体の底部に設けられた穿孔と該穿孔に通された後に第２フックの基軸部に結合されるピンを具え、第２フックがこのピンを軸として、第２枢設体に対して水平回転自在とされたことを特徴とする、折り畳み式ダブルフック装置。
【請求項９】
請求項１記載の折り畳み式ダブルフック装置において、第２フックの外径が第１フックの内径より小さく、ダブルフック装置が折り畳まれる時、第２フックが第１フックに隣接するように第１フックの内周区域に収容されることを特徴とする、折り畳み式ダブルフック装置。
【発明の詳細な説明】
【技術分野】
【０００１】
本発明は一種の折り畳み式ダブルフック装置に係り、特にダブルフックが自由に回転可能で、物品の吊掛に供され、及び、該ダブルフックが回転式に折り畳み可能で、これにより小体積とされ携帯に便利であるものに関する。
【背景技術】
【０００２】
ファミリーカーに乗る時、車内で食品や果物を食べる情況はよくあり、果物の皮、残飯、空きビンや空き缶、包装材料、及び一般ゴミ等は、通常ごみ袋に収集される。ゴミを収容するゴミ袋は自動車の座席背部に設けられた収容バッグ内に置くことはできず、その原因は、ごみ袋が座席背部の収容バッグを汚す恐れがあり、また収容バッグを拡張、変形させやすいことにある。このほか、一般に自動車は通常、物品の吊掛用の固定式のフック装置を具備せず、その主要な原因は、この固定式フック装置の開口部が車内の乗客を傷つける恐れがあるためである。これにより、もし上述のゴミ袋或いはその他の物品例えば手提げ袋は、一般には直接車内の床に置かれるが、これは車内の有限な床空間を占用し、車内を狭くする。
【０００３】
以上の問題に対して、すでに付加のダブルフック装置が提供されており、それは使用時に、一端のフックを車内の任意の固定された棒状物或いは環状物、例えば座席のヘッドレストポスト或いはドア上方のグリップ等に掛け、更に別端のフックを物品の吊掛に供する。不使用時には、ダブルフックを取り外せばよく、車内に対して空間の障害を形成せず、またフックによる怪我を発生させない。ゆえにこのようなダブルフック装置は便利性と安全性を有している。
【０００４】
しかし、上述の周知のダブルフック装置は、一つの基材より反対方向にそれぞれフックが延伸された形態とされ、それは上で支持され下で物品を吊掛る機能を有するが、一体式のダブルフック装置は平常時に携帯するのに折り畳み不能であり、体積が大きく、携帯上の不便を形成する。また、周知のダブルフック装置のフック開口は固定方向を呈し、使用時に角度調整が行なえず、このため物品を吊掛る時、フック開口の既定方向及び角度に制限されるため、物品吊掛角度上、不順及び外向きの傾斜を形成し、物品吊掛上、自然な下垂状態を保持できない。
【発明の開示】
【発明が解決しようとする課題】
【０００５】
本発明は周知のダブルフック装置の、折り畳み不能であり、及び吊掛方向を調整不能である欠点を鑑み、新規で機能が良好な折り畳み式ダブルフック装置を提供するものである。
【課題を解決するための手段】
【０００６】
請求項１の発明は、回転式に展開して二方向のフック形態とされて物品の吊掛けに供されるか、回転式に折り畳んで小体積として携帯に便利とできる折り畳み式ダブルフック装置であり、
相反する両側に第１側端と第２側端が形成された連結アームと、
上部が第１枢軸により連結アームの第１側端に枢設された第１枢設体と、
第１枢設構造により第１枢設体の底部に枢設された第１フックと、
上部が第２枢軸で該連結アームの第２側端に枢設された第２枢設体と、
第２枢設構造により該第２枢設体の底部に枢設された第２フックと、
を具えたことを特徴とする、折り畳み式ダブルフック装置としている。
請求項２の発明は、請求項１記載の折り畳み式ダブルフック装置において、連結アームの第１側端及び第２側端が切削されて第１割り溝と第２割り溝が設けられ、且つ第１側端の前端面及び後端面にそれぞれ第１枢軸が設けられ、該第２側端の前端面及び後端面にそれぞれ第２枢軸が設けられたことを特徴とする、折り畳み式ダブルフック装置としている。
請求項３の発明は、請求項１記載の折り畳み式ダブルフック装置において、第１枢設体の上部が切削されて縦溝が設けられ、連結アームの第１側端が該縦溝内に置かれ、並びに第１枢軸で枢結されたことを特徴とする、折り畳み式ダブルフック装置としている。
請求項４の発明は、請求項１記載の折り畳み式ダブルフック装置において、第１フックがフック体を具え、該フック体の一端に基軸部が形成され、該基軸部が第１枢設体の底部と第１枢設構造により枢結され、該フック体の別端に脱出防止の湾曲凸部が設けられたことを特徴とする、折り畳み式ダブルフック装置としている。
請求項５の発明は、請求項４記載の折り畳み式ダブルフック装置において、第１枢設構造が、第１枢設体の底部に設けられた穿孔と該穿孔に通された後に第１フックの基軸部に結合されるピンを具え、第１フックが該ピンを軸として、第１枢設体に対して水平回転自在とされたことを特徴とする、折り畳み式ダブルフック装置としている。
請求項６の発明は、請求項１記載の折り畳み式ダブルフック装置において、第２枢設体の上部に縦溝が形成され、連結アームの第２側端がこの縦溝内に置かれ、並びに第２枢軸で枢結されたことを特徴とする、折り畳み式ダブルフック装置としている。
請求項７の発明は、請求項１記載の折り畳み式ダブルフック装置において、第２フックがフック体を具え、該フック体の一端に基軸部が形成され、該基軸部が第２枢設体の底部と第２枢設構造により枢結され、このフック体の別端に脱出防止の湾曲凸部が設けられたことを特徴とする、折り畳み式ダブルフック装置としている。
請求項８の発明は、請求項７記載の折り畳み式ダブルフック装置において、第２枢設構造が、第２枢設体の底部に設けられた穿孔と該穿孔に通された後に第２フックの基軸部に結合されるピンを具え、第２フックがこのピンを軸として、第２枢設体に対して水平回転自在とされたことを特徴とする、折り畳み式ダブルフック装置としている。
請求項９の発明は、請求項１記載の折り畳み式ダブルフック装置において、第２フックの外径が第１フックの内径より小さく、ダブルフック装置が折り畳まれる時、第２フックが第１フックに隣接するように第１フックの内周区域に収容されることを特徴とする、折り畳み式ダブルフック装置としている。
【発明の効果】
【０００７】
本発明の折り畳み式ダブルフック装置は、連結アームと、それぞれが枢設体及び枢軸で該連結アームの両端に枢設された一対のフックとを具え、そのうち一つのフックの外径がもう一つのフックの内径より小さい。この一対のフックは枢軸により外向きに展開されて二つの反対側に位置するフックとされて、それぞれ固定部品への吊掛けと、フックに吊り掛ける必要がある物品の吊掛に供され、且つ各フックがその枢設体により水平に回転自在とされてフック開口の方向を調整できる。且つこの一対のフックはその枢軸により内向きに折り畳んで、相互に隣接するように並列に配列して小体積として携帯に便利とすることができる。
【発明を実施するための最良の形態】
【０００８】
図１は本発明の折り畳み式ダブルフック装置の折り畳み状態時の外観立体図であり、一対のフックが相互に隣接するよう並列に配列され、図２は本発明の折り畳み式ダブルフック装置の展開過程表示図であり、そのうち一つのフックがもう一つのフックから離れる方向に展開される状態を示す。図３は図２に続く展開動作を示し、一対のフックが展開されて相反する側に位置する状態とされる。図４は本発明の折り畳み式ダブルフック装置の第１枢設部品と第１フック間の枢設構造の断面図である。図５は本発明の折り畳み式ダブルフック装置の第２枢設部品と第２フック間の枢設構造の断面図である。
【０００９】
図示されるように、本発明の折り畳み式ダブルフック装置は、連結アーム１、第１枢設体２、第１フック３、第２枢設体４、第２フック５を具えている。
【００１０】
上述の連結アーム１は板状体とされ、その相反する両側に第１側端１１と第２側端１２が形成されている。
【００１１】
上述の第１枢設体２は底を有する管状体とされ、該第１枢設体２の上部に縦溝２１が形成され、連結アーム１の第１側端１１が該縦溝２１内に置かれ、並びに第１枢軸１３で枢結されている。
【００１２】
上述の第１フック３はフック体３１を具え、該フック体３１の一端に基軸部３２が形成され、該基軸部３２は第１枢設体２の底部と第１枢設構造３４で枢結され、該フック体の別端に脱出防止の湾曲凸部３３が形成されている。該第１枢設構造３４はピン３５を具え、該ピン３５は第１枢設体２の底部に設けられた穿孔２２を通った後に、第１フック３の基軸部３２に結合され、該第１フック３は該ピン３５を軸として第１枢設体２に対して水平回転自在とされる。
【００１３】
上述の第２フック５は第２枢設体４により連結アーム１の第２側端１２に枢結され、その構造は、上述の第１フック３の枢結構造と同じである。則ち、第２枢設体４は底を有する管状体とされ、該第２枢設体４の上部に縦溝４１が形成され、連結アーム１の第２側端１２は該縦溝４１内に置かれ、並びに第２枢軸１４で枢結される。第２フック５フック体５１を具え、該フック体５１の一端に基軸部５２が形成され、該基軸部５２は第２枢設体４の底部と第２枢設構造５４で枢結され、該フック体の別端に脱出防止の湾曲凸部５３が形成されている。該第２枢設構造５４はピン５５を具え、該ピン５５は第２枢設体４の底部に設けられた穿孔４２を通った後に、第２フック５の基軸部５２に結合され、該第２フック５は該ピン５５を軸として第２枢設体４に対して水平回転自在とされる。この第２フック５の外径は第１フック３の内径より小さく、折り畳み時に、該第２フック５が第１フック３の内周区域に収納される。
【００１４】
上述の第１枢軸１３及び第２枢軸１４は独立した部品とされるか、或いは第１枢軸１３が上述の連結アーム１の第１側端１１の前端面及び後端面に直接形成され、第２枢軸１４が連結アーム１の第２側端１２の前端面及び後端面に直接形成され、且つ該第１側端１１と第２側端１２にそれぞれ第１割り溝１５及び第２割り溝１６が形成され、これにより第１側端１１と第２側端１２が内縮外張の弾性を具備し、第１枢軸１３と第２枢軸１４がそれぞれ第１枢設体２及び第２枢設体４と係合、枢結するのに便利である。
【００１５】
図１は本発明の折り畳み式ダブルフック装置が折り畳まれた状態を示し、この時、第１フック３と第２フック５は第１枢軸１３及び第２枢軸１４を軸として内向きに折り畳まれ並びに相互に隣接するよう並列に配置され、これにより第２フック５が第１フック３の内周区域に収容され、その全体体積が減らされ、携帯に便利とされる。
【００１６】
本発明のダブルフック装置を使用する時は、第１フック３を第１枢設構造３４により回転させ、第２フック５を第１フック３の拘束より離脱させ、並びに第２フック５を第１枢軸１３で軸方向に展開させ（図２）、及び続いて第２枢軸１４を軸として第２フック５を上向きに回転させ（図３）、第２フック５を第１フック３と反対側の位置とする。この時、そのうち一つのフック例えば第２フック５を任意の固定部品、例えば自動車のシートのヘッドレストポスト及びドア上方のグリップに吊掛け、もう一つのフック例えば第１フック３をゴミ袋、手提げ袋及びハンガー等の吊掛に供することができる。
【００１７】
吊掛使用時に、第１枢設体２及び第１フック３の間、及び第２枢設体４及び第２フック５の間に、それぞれ枢設構造（第１枢設構造３４、第２枢設構造５４）が設けられ、且つ第１枢設体２及び第２枢設体４がそれぞれ第１枢軸１３及び第２枢軸１４で連結アーム１に枢結されているため、転向可能な関節作用を有する。これにより、第１及び第２フックがいずれも随意に方向と角度を調節できる作用を具え、これにより吊り掛ける物品に自然に垂れ下がった状態を保持させることができ、傾斜により空間を占拠させない。且つ吊掛る物品の内部を見る時は、吊り掛けた物品を随意に回転させられるため、吊り掛けた物品内部の物品のチェック及び取り出しに便利である。
【００１８】
以上の実施例は本発明の実施範囲を限定するものではなく、以上の実施例及び図面の記載に基づきなしうる細部の修飾或いは改変は、いずれも本発明の請求範囲に属するものとする。
【図面の簡単な説明】
【００１９】
【図１】本発明の折り畳み式ダブルフック装置の折り畳み状態時の外観立体図であり、一対のフックが相互に隣接するよう並列に配列された状態を示す。
【図２】本発明の折り畳み式ダブルフック装置の展開過程表示図であり、そのうち一つのフックがもう一つのフックから離れる方向に展開される状態を示す。
【図３】図２に続く展開動作表示図であり、一対のフックが展開されて相反する側に位置する状態を示す。
【図４】本発明の折り畳み式ダブルフック装置の第１枢設部品と第１フック間の枢設構造の断面図である。
【図５】本発明の折り畳み式ダブルフック装置の第２枢設部品と第２フック間の枢設構造の断面図である。
【符号の説明】
【００２０】
１  連結アーム
１１  第１側端
１２  第２側端
１３  第１枢軸
１４  第２枢軸
１５  第１割り溝
１６  第２割り溝
２  第１枢設体
２１  縦溝
２２  穿孔
３  第１フック
３１  フック体
３２  基軸部
３３  湾曲凸部
３４  第１枢設構造
３５  ピン
４  第２枢設体
４１  縦溝
４２  穿孔
５  第２フック
５１  フック体
５２  基軸部
５３  湾曲凸部
５４  第２枢設構造
５５  ピン
【図１】
2006198222.tif 000003
【図２】
2006198222.tif 000004
【図３】
2006198222.tif 000005
【図４】
2006198222.tif 000006
【図５】
2006198222.tif 000007